(57)【要約】【課題】流体送出装置における常態の変位を検出する。【解決手段】電力情報群＃２の度数分布＃３を作成する度数分布作成部２１と、度数分布＃３から、度数分布＃７および度数分布＃８を抽出する抽出部２２と、度数分布＃７から平均Ａｖｅ１および標準偏差σ１を算出し、度数分布＃８から平均Ａｖｅ２および標準偏差σ２を算出する算出部２３と、Ａｖｅ１とＡｖｅ２とが異なり、かつ、σ２はσ１以下であれば、流体送出装置の常態が変位（≒故障）したと判定する判定部２４とを備えている。【選択図】図１
2014085815.tif 000002
【特許請求の範囲】
【請求項１】
流体送出装置が消費する瞬時電力を表す電力情報を取得する取得手段と、
上記電力情報を逐次記憶する記憶手段と、
上記記憶手段に記憶されている一定数の上記電力情報からなり連続的に蓄積された所定の電力情報群の度数分布を作成する度数分布作成手段と、
上記所定の電力情報群の度数分布から、上記所定の電力情報群の前半部分に含まれる電力情報を主に含む第１の度数分布、および、上記所定の電力情報群の後半部分に含まれる電力情報を主に含む第２の度数分布を抽出する抽出手段と、
上記第１の度数分布から第１の平均および第１の標準偏差を算出し、上記第２の度数分布から第２の平均および第２の標準偏差を算出する算出手段と、
上記第１の平均と上記第２の平均とが異なり、かつ、上記第２の標準偏差は上記第１の標準偏差以下であれば、上記流体送出装置の常態が変位したと判定する判定手段と、を備えていることを特徴とする常態監視装置。
【請求項２】
上記抽出手段は、上記取得手段が取得した電力情報が上記所定の電力情報群における度数分布の平均を含む所定の範囲に含まれていない場合に、当該電力情報より前に取得した電力情報群を上記前半部分とし、当該電力情報以降に取得する電力情報群を上記後半部分とすることを特徴とする請求項１に記載の常態監視装置。
【請求項３】
上記抽出手段は、上記後半部分を構成する電力情報群に対する上記所定の範囲に含まれていない電力情報の割合が所定の割合以上である際に、上記第１の度数分布および上記第２の度数分布を抽出することを特徴とする請求項２に記載の常態監視装置。
【請求項４】
上記抽出手段は、上記後半部分を構成する電力情報群において、上記所定の範囲に含まれていない電力情報が所定の連続回数を上回った際に、上記第１の度数分布および上記第２の度数分布を抽出することを特徴とする請求項２に記載の常態監視装置。
【請求項５】
少なくとも上記所定の電力情報群の度数分布を表す画像データを出力する出力手段と、
上記画像データを表示する表示手段とを備え、さらに、
上記抽出手段が上記第１の度数分布および上記第２の度数分布を抽出している際には、上記第１の度数分布および上記第２の度数分布を表す上記画像データを出力することを特徴とする請求項１から４のいずれか１項に記載の常態監視装置。
【請求項６】
上記度数分布作成手段は、上記取得手段が新たな上記電力情報を取得するたびに上記所定の電力情報群の度数分布を作成することを特徴とする請求項１から５のいずれか１項に記載の常態監視装置。
【請求項７】
瞬時電力を表す電力情報を生成する電力量計、および、常態監視装置を備えた常態監視システムであって、
上記常態監視装置は、
流体送出装置が消費する瞬時電力を表す電力情報を取得する取得手段と、
上記電力情報を逐次記憶する記憶手段と、
上記記憶手段に記憶されている一定数の上記電力情報からなり連続的に蓄積された所定の電力情報群の度数分布を作成する度数分布作成手段と、
上記所定の電力情報群の度数分布から、上記所定の電力情報群の前半部分に含まれる電力情報を主に含む第１の度数分布、および、上記所定の電力情報群の後半部分に含まれる電力情報を主に含む第２の度数分布を抽出する抽出手段と、
上記第１の度数分布から第１の平均および第１の標準偏差を算出し、上記第２の度数分布から第２の平均および第２の標準偏差を算出する算出手段と、
上記第１の平均と上記第２の平均とが異なり、かつ、上記第２の標準偏差は上記第１の標準偏差以下であれば、上記流体送出装置の常態が変位したと判定する判定手段と、を備えていることを特徴とする常態監視システム。
【請求項８】
流体送出装置が消費する瞬時電力を表す電力情報を取得する取得工程と、
上記電力情報を記憶手段に逐次記憶する記憶工程と、
上記記憶手段に記憶されている一定数の上記電力情報からなり連続的に蓄積された所定の電力情報群の度数分布を作成する度数分布作成工程と、
上記所定の電力情報群の度数分布から、上記所定の電力情報群の前半部分に含まれる電力情報を主に含む第１の度数分布、および、上記所定の電力情報群の後半部分に含まれる電力情報を主に含む第２の度数分布を抽出する抽出工程と、
上記第１の度数分布から第１の平均および第１の標準偏差を算出し、上記第２の度数分布から第２の平均および第２の標準偏差を算出する算出工程と、
上記第１の平均と上記第２の平均とが異なり、かつ、上記第２の標準偏差は上記第１の標準偏差以下であれば、上記流体送出装置の常態が変位したと判定する判定工程と、を実行することを特徴とする常態監視方法。
【請求項９】
請求項１から６のいずれか１項に記載の常態監視装置が備えている各手段として、コンピュータを動作させるためのプログラム。
【請求項１０】
請求項９に記載のプログラムを記録しているコンピュータ読み取り可能な記録媒体。
【発明の詳細な説明】
【技術分野】
【０００１】
本発明は、流体送出装置の常態を監視する常態監視装置、常態監視システム、常態監視方法、プログラムおよび記憶媒体に関する。
【背景技術】
【０００２】
製造工場には、液体を送出するためのポンプ、および、気体を流すためのファンが数多く配設されている。以下において、ポンプおよびファンのことをまとめて流体送出装置と表現する。流体送出装置は、その使用時間の増大に伴い経時劣化し、やがては破損に至る場合がある。これらの予期せぬ破損によって流体送出装置の常態が変位すると、製造予定に大幅な遅延が生じる可能性がある。すなわち、事業者は大きな生産機会損失を被る虞がある。生産機会損失とは、産出量低下、品質低下、納期遅れ、安全低下などにより事業者が被る損失のことである（図１０参照）。なお、流体送出装置において常態が変化した状態とは、流体送出装置になんらかの故障、異常が生じている状態である。
【０００３】
流体送出装置の常態が変化した際に早く対応するためには、まず、常態が変化していることを素早く検知することが重要である。そのためには、日頃から流体送出装置の状態を的確に把握しておくことが重要である。流体送出装置の状態を把握するための手法として、点検者がそれぞれの流体送出装置を定期的（たとえば１日に１回）に点検する手法が一般的である。この点検は、点検者の視覚、聴覚などから得られる情報から、点検者は自らの経験則に基づいて流体送出装置の状態を判断するものである。したがって、点検者の主観に基づく定性的なものである。この手法では、流体送出装置の状態を把握する際の精度は、各点検者の経験および技術に大きく依存する。また、経験豊富かつ高い技術を有する点検者を育成するためには、長い時間および大きなコストを要する。
【０００４】
特許文献１には、水処理プラントが備える設備（流体送出装置）の劣化度をオンラインで診断する技術が記載されている。具体的には、当該技術は、流入ポンプの消費電力量および流入流量に基づいて消費電力原単位を演算し、演算された現在の消費電力原単位と、導入当初またはメンテナンス直後の所定期間における基本消費電力原単位との差分を演算し、この差分が所定の診断値以上である場合に設備のメンテナンスを促すガイダンス情報を表示する。
【先行技術文献】
【特許文献】
【０００５】
【特許文献１】特開２０１１−１８１０８８号公報（２０１１年９月１５日公開）
【発明の概要】
【発明が解決しようとする課題】
【０００６】
上述の通り引用文献１に記載の技術は、現在の消費電力原単位と、導入当初またはメンテナンス直後の所定期間における基本消費電力原単位との差分に基づいて、設備におけるメンテナンスの要否を促すものである。その一方、当該技術は、流体送出装置における常態の変化を検出できないという課題を有する。
【０００７】
本発明は、上記課題を解決するためになされたものである。その目的は、流体送出装置の常態が変位した際に、当該常態の変位を検出し、かつ、その検出精度を高めることである。
【課題を解決するための手段】
【０００８】
本発明に係る常態監視装置は、
流体送出装置が消費する瞬時電力を表す電力情報を取得する取得手段と、
上記電力情報を逐次記憶する記憶手段と、
上記記憶手段に記憶されている一定数の上記電力情報からなり連続的に蓄積された所定の電力情報群の度数分布を作成する度数分布作成手段と、
上記所定の電力情報群の度数分布から、上記所定の電力情報群の前半部分に含まれる電力情報を主に含む第１の度数分布、および、上記所定の電力情報群の後半部分に含まれる電力情報を主に含む第２の度数分布を抽出する抽出手段と、
上記第１の度数分布から第１の平均および第１の標準偏差を算出し、上記第２の度数分布から第２の平均および第２の標準偏差を算出する算出手段と、
上記第１の平均と上記第２の平均とが異なり、かつ、上記第２の標準偏差は上記第１の標準偏差以下であれば、上記流体送出装置の常態が変位したと判定する判定手段と、を備えていることを特徴とする。
【０００９】
上記の構成によれば、常態監視装置が備える度数分布作成手段は、記憶手段に逐次記憶されている電力情報のうち、所定の電力情報群に基づく度数分布を作成する。抽出手段は、所定の電力情報群に基づく度数分布から、所定の電力情報群の前半部分に含まれる電力情報を主に含む第１の度数分布、および、所定の電力情報群の後半部分に含まれる電力情報を主に含む第２の度数分布を抽出する。算出手段は、第１の度数分布から第１の平均値および第１の標準偏差を算出し、上記第２の度数分布から第２の平均値および第２の標準偏差を算出する。
【００１０】
第１の度数分布は、主に上記所定の電力情報群の前半部分に含まれる電力情報によって形成されている。よって、第１の度数分布は、流体送出装置が正常であるときの瞬時電力の分布を示している。
【００１１】
一方、流体送出装置の常態が変位すると（つまり故障）、第２の度数分布は、第１の度数分布から変化する傾向を有する。さらに、流体送出装置に何かしらの変位が生じ、そのあと、常態の変位が完了した際の標準偏差は、正常であるときの標準偏差と同じか小さく落ち着く。これらに基づいて、判定手段は、第１の平均値と第２の平均値とが異なり、かつ、第２の標準偏差は第１の標準偏差以下であれば、流体送出装置の常態が変位（≒故障）したと判定する。以上のように、本発明に係る常態監視装置は、流体送出装置が消費する瞬時電力に基づいて、流体送出装置の常態の変位を検出することを可能にする。さらには、統計的手法を用いて流体送出装置における常態が変位したか否かを判定するので、流体送出装置における常態の変位を精度よく検出することを可能にする。
【００１２】
さらに、本発明の一態様に係る常態監視装置において、
上記抽出手段は、上記取得手段が取得した電力情報が上記所定の電力情報群における度数分布の平均を含む所定の範囲に含まれていない場合に、当該電力情報より前に取得した電力情報群を上記前半部分とし、当該電力情報以降に取得する電力情報群を上記後半部分とすることが好ましい。
【００１３】
上記の構成によれば、所定の電力情報群の前半部分は正常な流体送出装置の電力情報によって構成され、所定の電力情報群の後半部分は常態の変位が完了している、つまり故障している流体送出装置の電力情報によって構成されている可能性が高い。したがって、流体送出装置における常態の変位（≒故障）を精度よく検出することができる。
【００１４】
さらに、本発明の一態様に係る常態監視装置において、
上記抽出手段は、上記後半部分を構成する電力情報群に対する上記所定の範囲に含まれていない電力情報の割合が所定の割合以上である際に、上記第１の度数分布および上記第２の度数分布を抽出することが好ましい。
【００１５】
後半部分を構成する電力情報群に対する所定の範囲に含まれていない電力情報の割合が所定の割合より小さい場合、後半部分が含む所定の範囲に含まれていない電力情報は外れ値または状態の遷移中（故障の予兆）である可能性が高い。上記の構成によれば、抽出手段は、所定の割合以上である際に第１の度数分布および第２の度数分布を抽出する。したがって、正常ではない流体送出装置の電力情報であって、かつ、外れ値または状態の遷移中（故障の予兆）でもない電力情報を用いて常態の変位≒故障であるか否かを判定することができる。したがって、流体送出装置における常態の変位（≒故障）を精度よく検出することができる。
【００１６】
さらに、本発明の一態様に係る常態監視装置において、
上記抽出手段は、上記後半部分を構成する電力情報群において、上記所定の範囲に含まれていない電力情報が所定の連続回数を上回った際に、上記第１の度数分布および上記第２の度数分布を抽出してもよい。
【００１７】
後半部分を構成する電力情報群に対する上記所定の範囲に含まれていない電力情報が不連続な場合、後半部分が含む所定の範囲に含まれていない電力情報は外れ値または状態の遷移中（故障の予兆）である可能性が高い。上記の構成によれば、抽出手段は、所定の連続回数を上回った際に第１の度数分布および第２の度数分布を抽出する。したがって、正常ではない流体送出装置の電力情報であって、かつ、外れ値または状態の遷移中（故障の予兆）でもない電力情報を用いて常態が変位（≒故障）したか否かを判定することができる。したがって、流体送出装置における常態の変位（≒故障）を精度よく検出することができる。
【００１８】
さらに、本発明の一態様に係る常態監視装置は、
少なくとも上記所定の電力情報群の度数分布を表す画像データを出力する出力手段と、
上記画像データを表示する表示手段とを備え、さらに、
上記抽出手段が上記第１の度数分布および上記第２の度数分布を抽出している際には、上記所定の電力情報群の度数分布とともに、上記第１の度数分布および上記第２の度数分布を表す上記画像データを出力することが好ましい。
【００１９】
上記の構成によれば、表示手段は、少なくとも所定の電力情報群の度数分布を表す画像データを表示する。また、抽出手段が第１の度数分布および第２の度数分布を抽出している際には、表示手段は、第１の度数分布および第２の度数分布を表す画像データを表示する。従業員は、表示手段が表示する画像データを確認することによって、流体送出装置の状態を即座に理解することができる。表示手段に所定の電力情報群の度数分布のみが表示されている場合、従業員は、流体送出装置は正常であることを即座に理解できる。一方、表示手段に第１の度数分布および第２の度数分布が表示されている場合、流体送出装置が正常ではないなんらかの状態であることを即座に理解できる。さらには、第１の度数分布および第２の度数分布の分布形状を確認することによって、従業員は、流体送出装置の状態に関するより詳しい情報を理解できる。
【００２０】
さらに、本発明の一態様に係る常態監視装置において、
上記度数分布作成手段は、上記取得手段が新たな上記電力情報を取得するたびに上記所定の電力情報群の度数分布を作成することが好ましい。
【００２１】
上記の構成によれば、取得手段が新たな電力情報を取得するたびに、度数分布作成手段は所定の電力情報群の度数分布を作成する。したがって、流体送出装置の常態をリアルタイムで監視可能である。
【００２２】
本発明に係る常態監視システムは、
瞬時電力を表す電力情報を生成する電力量計、および、常態監視装置を備えた常態監視システムであって、
上記常態監視装置は、
流体送出装置が消費する瞬時電力を表す電力情報を取得する取得手段と、
上記電力情報を逐次記憶する記憶手段と、
上記記憶手段に記憶されている一定数の上記電力情報からなり連続的に蓄積された所定の電力情報群の度数分布を作成する度数分布作成手段と、
上記所定の電力情報群の度数分布から、上記所定の電力情報群の前半部分に含まれる電力情報を主に含む第１の度数分布、および、上記所定の電力情報群の後半部分に含まれる電力情報を主に含む第２の度数分布を抽出する抽出手段と、
上記第１の度数分布から第１の平均および第１の標準偏差を算出し、上記第２の度数分布から第２の平均および第２の標準偏差を算出する算出手段と、
上記第１の平均と上記第２の平均とが異なり、かつ、上記第２の標準偏差は上記第１の標準偏差以下であれば、上記流体送出装置の常態が変位したと判定する判定手段と、を備えていることを特徴とする。
【００２３】
本発明に係る常態監視方法は、
流体送出装置が消費する瞬時電力を表す電力情報を取得する取得工程と、
上記電力情報を記憶手段に逐次記憶する記憶工程と、
上記記憶手段に記憶されている一定数の上記電力情報からなり連続的に蓄積された所定の電力情報群の度数分布を作成する度数分布作成工程と、
上記所定の電力情報群の度数分布から、上記所定の電力情報群の前半部分に含まれる電力情報を主に含む第１の度数分布、および、上記所定の電力情報群の後半部分に含まれる電力情報を主に含む第２の度数分布を抽出する抽出工程と、
上記第１の度数分布から第１の平均および第１の標準偏差を算出し、上記第２の度数分布から第２の平均および第２の標準偏差を算出する算出工程と、
上記第１の平均と上記第２の平均とが異なり、かつ、上記第２の標準偏差は上記第１の標準偏差以下であれば、上記流体送出装置の常態が変位したと判定する判定工程と、を実行することを特徴とする。
【００２４】
上記の構成によれば、常態監視システムおよび常態監視方法は、上述の常態監視装置と同様の効果を奏する。
【００２５】
また、本発明の一態様に係る常態監視装置が備えている各手段としてコンピュータを動作させるためのプログラム、および、それらのプログラムを記録したコンピュータ読み取り可能な記録媒体についても本発明の範疇に含まれる。
【発明の効果】
【００２６】
本発明は、流体送出装置の常態が変位した際に、当該常態の変位を精度よく検出可能な常態監視装置を提供する。
【図面の簡単な説明】
【００２７】
【図１】本発明の一実施形態に係る常態監視装置の構成を示す概略図である。
【図２】上記常態監視装置を含む常態監視システムの構成を示す概略図である。
【図３】上記常態監視装置が実行する処理の流れを示す図である。
【図４】上記常態監視装置が備える記憶部に記憶されている電力情報群を示す図である。
【図５】正常なポンプにおける、瞬時電力の度数分布を例示する図である。
【図６】正常なポンプにおける、外れ値を含む瞬時電力の度数分布を例示する図である。
【図７】常態が変位したポンプにおける、瞬時電力の度数分布を例示する図である。
【図８】遷移状態にあるポンプにおける、瞬時電力の度数分布を例示する図である。
【図９】上記常態監視装置を含む常態監視システムの構成例を示す図である。
【図１０】事業者の設備運用において上記常態監視装置を導入することによる効果を例示する図である。
【発明を実施するための形態】
【００２８】
本発明の一実施形態に係る常態監視装置１０、および、常態監視装置１０を含む常態監視システム１について、図１〜８を参照しながら詳細に説明する。図１は常態監視装置１０の構成を示す概略図であり、図２は常態監視システム１の構成を示す概略図である。
【００２９】
（常態監視システム１）
常態監視システム１は、図２に示すように、常態監視装置１０、ネットワーク３０、ポンプ４１ａ〜４１ｃ、ファン４２ａ〜４２ｂ、電力量計５１ａ〜５１ｃ、５２ａ〜５２ｂ、および、データ収集ユニット６１ａ〜６１ｂを備えている。
【００３０】
ポンプ４１ａ〜４１ｃおよびファン４２ａ〜４２ｂは、製造工場に配設されている流体送出装置である。流体送出装置とは、流体（液体または気体）を所定の装置に供給する装置の総称である。また、流体送出装置は、流体を供給するだけでなく、流体の圧力を昇圧する装置であってもよい。本実施形態において、流体送出装置は、大きく変動しない負荷をともなって長時間運転する装置であることが好ましい。また、一定の負荷をともなって長時間運転する装置であることがより好ましい。
【００３１】
ポンプ４１ａ〜４１ｃおよびファン４２ａ〜４２ｂは、各流体送出装置の消費する瞬時電力を監視する電力量計を備えている。瞬時電力の単位は、キロワット（ｋＷ）である。図２に示すように、ポンプ４１ａは電力量計５１ａを、ポンプ４１ｂは電力量計５１ｂを、ポンプ４１ｃは電力量計５１ｃを、それぞれ備えている。また、ファン４２ａは電力量計５２ａを、ファン４２ｂは電力量計５２ｂをそれぞれ備えている。電力量計５１ａ、５１ｂおよび５２ａは、データ収集ユニット６１ａに対して直列に接続されている。一方、電力量計５１ｃおよび５２ｂは、データ収集ユニット６１ｂに対して並列に接続されている。このように、データ収集ユニットと、各電力量計との接続は、直接および並列のいずれであってもよく、直列および並列を組み合わせたものであってもよい。電力量計５１ａ〜５１ｃおよび電力量計５２ａ〜５２ｂは、それぞれが配設されている流体送出装置の瞬時電力を表す電力情報を、データ収集ユニット６１ａまたは６１ｂに送信する。なお、本実施形態において、各電力量計はデータ収集ユニットに接続されている。しかし、各電力量計は、データ収集ユニットに接続されずに、ネットワーク３０に直接接続されていてもよい。
【００３２】
データ収集ユニット６１ａおよび６１ｂは、ネットワーク３０を介して常態監視装置１０に接続されており、各電力量計から取得する各流体送出装置の電力情報を、常態監視装置１０に出力する。
【００３３】
常態監視装置１０は、ポンプ４１ａ〜４１ｃおよびファン４２ａ〜４２ｂの電力情報を、データ収集ユニット６１ａおよび６１ｂから取得する。常態監視装置１０は、ポンプ４１ａ〜４１ｃおよびファン４２ａ〜４２ｂの電力情報に基づいて、それぞれの装置に常態の変位が生じているか否かを判定し、常態の変位が生じている場合にはその常態の変位を検出する。常態監視装置１０の詳細については後述する。
【００３４】
なお、常態監視システム１は３台のポンプ４１ａ〜４１ｃおよび２台のファン４２ａ〜４２ｂ、電力量計５１ａ〜５１ｃおよび５２ａ〜５２ｂ、ならびに、２台のデータ収集ユニット６１ａ〜６１ｂを備えている。本実施形態においては、その中からポンプ４１ａ、電力量計５１ａおよびデータ収集ユニット６１ａを例として、常態監視装置１０が実行する処理について説明する。以下においては、ポンプ４１ａのことを単にポンプ４１、電力量計５１ａのことを単に電力量計５１、データ収集ユニット６１ａのことを単にデータ収集ユニット６１とも記載する。また、常態監視システム１を構成するポンプおよびファンの台数、および、データ収集ユニットの台数は限定されるものではない。
【００３５】
（流体送出装置の状態と瞬時電力の分布との関係）
常態監視装置１０の構成を説明する前に、流体送出装置の動作と瞬時電力の分布との関係について簡単に説明する。流体送出装置において常態の変位が生じる主な原因は、以下の３つである。
・ベアリングの破損
・インペラ（羽根車）の破損
・配線間の絶縁不良
ベアリングが破損している場合、流体送出装置の摩擦抵抗が増加する傾向を有する。したがって、流体送出装置の瞬時電力は、正常である場合と比べて増加する傾向を有する。インペラが破損している場合、モータの負荷は減少する傾向を有する。したがって、流体送出装置の瞬時電力は、正常である場合と比べて減少する傾向を有する。配線間に絶縁不良が生じている場合、流体送出装置の仕事とは関係なくリーク電流が生じる。したがって、流体送出装置の瞬時電力は、正常である場合と比べて増加する傾向を有する。以上のように、流体送出装置に常態の変位が生じている場合、どのような原因であっても流体送出装置の瞬時電力は正常である場合と異なる。
【００３６】
常態監視装置１０は、流体送出装置の瞬時電力を統計処理することによって、流体送出装置が正常な状態から、正常ではない別の状態へ常態が変位したこと（すなわち故障）を検出するものである。
【００３７】
（常態監視装置１０）
常態監視装置１０は、図１に示すように、制御部１１、取得部１２、記憶部１３、出力部１４および表示部１５を備えている。
【００３８】
（制御部１１）
制御部１１は、ＣＰＵ(Central Processing Unit)などよりなり、記憶部１３（記憶手段）に記憶されているプログラムを実行することによって、常態監視装置１０の全体の動作を制御する。制御部１１には、取得部１２（取得手段）、記憶部１３および出力部１４が接続される。
【００３９】
さらに、制御部１１は、後述する度数分布作成部２１（度数分布作成手段）、抽出部２２（抽出手段）、算出部２３（算出手段）および判定部２４（判定手段）を備えている。
【００４０】
（取得部１２）
取得部１２は、ネットワーク３０に接続されている。取得部１２は、制御部１１からの制御信号に基づいて、データ収集ユニット６１からポンプ４１の瞬時電力を表す電力情報＃１を所定の時間ごとに取得する。本実施形態において、当該所定の時間は１分であるとして説明する。取得部１２は、取得した電力情報＃１を制御部１１に出力する。なお、上記所定の時間は、ポンプの発停の頻度に応じて変更してもよい。ポンプの発停の頻度が高い場合には上記所定の時間を短く設定し、ポンプの発停の頻度が低い場合には上記所定の時間を長く設定することが好ましい。
【００４１】
（記憶部１３）
記憶部１３は、ハードディスク、フラッシュメモリなどの不揮発性の記憶媒体からなる。記憶部１３には、制御部１１が実行する上記プログラムが格納されている。さらに、制御部１１は、取得部１２が取得した電力情報＃１を、逐次、記憶部１３に記憶させる。すなわち、記憶部１３は、それまでに取得部１２が取得した電力情報＃１を逐次記憶し蓄積している。また、制御部１１は、記憶部１３から電力情報群＃２を取得する。電力情報群＃２は、記憶部１３に記憶されている一定数（以下においてＮ個とする）の電力情報＃１からなり連続的に蓄積されたものであり、所定の電力情報群に対応する。電力情報群＃２の具体的な構成については後述する。
【００４２】
（出力部１４および表示部１５）
出力部１４は、制御部１１の指示に基づいて、表示部１５が表示すべき情報を表す画像データを作成し、当該画像データを表示部１５に出力する。出力部１４が作成する上記画像データについては後述する。
【００４３】
表示部１５は、たとえば液晶表示パネルを備える表示手段である。出力部１４が作成した上記画像データを表示することによって、ポンプ４１の状態を製造工場の従業員が容易に把握することを可能にする。
【００４４】
（常態監視装置１０が実行する処理）
図３を参照しながら、常態監視装置１０が実行する処理について説明する。図３は、常態監視装置１０が実行する処理の流れを示すフローチャートである。
【００４５】
ステップＳ１：取得部１２は、瞬時電力を表す電力情報＃１をデータ収集ユニット６１から取得する。制御部１１は、取得部１２が取得した電力情報＃１を記憶部１３に記憶させる。
【００４６】
ステップＳ２：制御部１１は、記憶部１３から電力情報群＃２を取得する。
【００４７】
ステップＳ３：度数分布作成部２１は、電力情報群＃２に基づいて度数分布＃３を作成する。度数分布＃３は、所定の電力情報群の度数分布である。制御部１１は、度数分布＃３を表す画像データを出力するように出力部１４を制御する。
【００４８】
ステップＳ４：算出部２３は、度数分布＃３の平均Ａｖｅおよび標準偏差σを算出する。
【００４９】
ステップＳ５：取得部１２は、新しい電力情報＃４をデータ収集ユニット６１から新たに取得し、制御部１１に出力する。
【００５０】
ステップＳ６：判定部２４は、新しい電力情報＃４が所定の範囲に含まれているか否かを判定する。所定の範囲とは、平均Ａｖｅを含む一定の範囲である。本実施形態では、所定の範囲をＡｖｅ±３σとして説明する。
【００５１】
ステップＳ７：ステップＳ６がＹＥＳであれば、すなわち、新しい電力情報＃４がＡｖｅ±３σに含まれていれば、判定部２４は、ポンプ４１の状態を正常と判定する。制御部１１は、新しい電力情報＃４を記憶部１３に記憶させた後に、実行する処理をステップＳ２に戻す。制御部１１は、度数分布＃３と併せてポンプ４１の状態が正常であることを表す画像データを出力するように出力部１４を制御する。
【００５２】
ステップＳ８：ステップＳ６がＮＯであれば、すなわち、新しい電力情報＃４がＡｖｅ±３σに含まれていなければ、制御部１１は、新しい電力情報＃４を含めてｎ個の電力情報を取得するように取得部１２を制御する。判定部２４は、新しい電力情報＃４を含むｎ個の電力情報に対するＡｖｅ±３σに含まれていない電力情報の割合はｍ／ｎ以上であるか否かを判定する。この割合ｍ／ｎは、所定の割合である。本実施形態では、ｎ＝２０個、ｍ＝１０個、すなわち、ｍ／ｎ＝０．５として説明する。
【００５３】
ステップＳ９：ステップＳ８がＮＯであれば、判定部２４は、Ａｖｅ±３σに含まれていない電力情報を外れ値と判定する。制御部１１は、新しい電力情報＃４を含むｎ個の電力情報を記憶部１３に記憶させた後に、実行する処理をステップＳ２に戻す。
【００５４】
ステップＳ１０：ステップＳ８がＹＥＳであれば、抽出部２２は、電力情報群＃２のうち、新しい電力情報＃４より前に取得された電力情報群を第１の電力情報群＃５として抽出する。また、新しい電力情報＃４以降に取得されたｎ個の電力情報群を第２の電力情報群＃６として抽出する。第１の電力情報群＃５は電力情報群＃２の前半部分であり、第２の電力情報群＃６は電力情報群＃２の後半部分である。度数分布作成部２１は、第１の電力情報群＃５から度数分布＃７（第１の度数分布）を作成し、第２の電力情報群＃６から度数分布＃８（第２の度数分布）を作成する。当該ステップを言い換えれば、抽出部２２は、度数分布＃３から度数分布＃７および度数分布＃８を抽出する。制御部１１は、度数分布＃７および度数分布＃８を表す画像データを出力するように出力部１４を制御する。
【００５５】
ステップＳ１１：算出部２３は、度数分布＃７の平均Ａｖｅ１および標準偏差σ１を算出する。また、度数分布＃８の平均Ａｖｅ２および標準偏差σ２を算出する。平均Ａｖｅ１は第１の平均であり、標準偏差σ１は第１の標準偏差であり、平均Ａｖｅ２は第２の平均であり、標準偏差σ２は第２の標準偏差である。
【００５６】
ステップＳ１２：判定部２４は、平均Ａｖｅ１および平均Ａｖｅ２が異なり、かつ、標準偏差σ２は標準偏差σ１以下であるか否かを判定する。すなわち、Ａｖｅ１≠Ａｖｅ２、かつ、σ１≧σ２であるか否かを判定する。
【００５７】
ステップＳ１３：ステップＳ１２がＮＯであれば、判定部２４は、ポンプ４１の状態を遷移状態と判定する。遷移状態は、常態の変位（≒故障）が完了する前の常態であり、故障の前兆と理解可能である。制御部１１は、度数分布＃７および度数分布＃８とともに、ポンプ４１の状態が遷移状態であることを表す画像データを出力するように出力部１４を制御する。
【００５８】
ステップＳ１４：ステップＳ１２がＹＥＳであれば、判定部２４は、ポンプ４１の状態を常態の変位（≒故障）と判定する。制御部１１は、度数分布＃７および度数分布＃８に加えて、ポンプ４１の常態が変位（≒故障）したことを示す画像データを生成するように出力部１４を制御する。
【００５９】
以上のように、常態監視装置１０は、ポンプ４１に生じている常態の変位を検出し、製造工場の従業員などに当該常態の変位を通知する。常態監視装置１０は、統計処理を実行して上記の常態の変位を検出するため、瞬時電力と閾値との比較に基づく常態監視と比べて検出精度を高める効果を奏する。
【００６０】
なお、ステップＳ８の変形例として、判定部２４は、取得部があらたに取得する電力情報において、Ａｖｅ±３σに含まれない電力情報の連続回数がｍ回を上回るか否かを判定してもよい。当該ｍ回は、所定の連続回数である。
【００６１】
また、度数分布作成部２１は、取得部１２が新たな電力情報を取得するたびに、新たな電力情報を含む電力情報群＃２に基づいて度数分布＃３を新たに作成することが好ましい。この構成によれば、常態監視装置１０は、ポンプ４１の状態をリアルタイムで監視することができる。
【００６２】
（第１の電力情報群および第２の電力情報群の抽出）
図４を参照しながら、記憶部１３に記憶されている電力情報群＃２について説明する。図４は、抽出部２２が、第１の電力情報＃５および第２の電力情報＃６を抽出する過程における電力情報群＃２の遷移を例示する図である。電力情報群＃２は、Ｎ個の電力情報からなる。
【００６３】
図４（ａ）は、ステップＳ６に対応する。判定部２４は、新しい電力情報＃４が所定の範囲であるＡｖｅ±３σに含まれているか否かを判定する。この場合、新しい電力情報＃４はＡｖｅ±３σに含まれる電力情報であり、ステップＳ６の判定結果はＹＥＳである。そのことを示すために、図４（ａ）の新しい電力情報＃４に「Ｙ」を付している。したがって、判定部２４はポンプ４１の状態を正常と判定し、制御部１１は新しい電力情報＃４を記憶部１３に記憶させる（ステップＳ７）。
【００６４】
仮に、新しい電力情報＃４はＡｖｅ±３σに含まれない電力情報である場合、ステップＳ６の判定結果はＮＯである。その場合には、新しい電力情報＃４に「Ｎ」を付す。電力情報群＃２を構成する各電力情報に付されている「Ｙ」または「Ｎ」も、各電力情報のステップＳ６における判定結果を示している。すなわち、図４（ａ）に示す電力情報群＃２が含む電力情報のほとんどはＡｖｅ±３σに含まれる電力情報である。
【００６５】
図４（ｂ）は、図４（ａ）と同様にステップＳ６に対応する。しかし、図４（ｂ）は、新しい電力情報＃４がＡｖｅ±３σに含まれていない点が図４（ａ）と異なる。図４（ｂ）において、ステップＳ６の判定結果はＮＯであるので、ステップＳ８へ進む。
【００６６】
図４（ｃ）は、新しい電力情報＃４を含むｎ個の電力情報を取得した状態を示している（ステップＳ８）。判定部２４は、上記ｎ個の電力情報のうちＡｖｅ±３σに含まれていない電力情報はｍ個以上であるか否かを判定し（ステップＳ８）、ステップＳ８の判定結果がＹＥＳである場合を図４（ｃ）は示す。したがって、抽出部２２は、新しい電力情報＃４より前に取得された電力情報群を第１の電力情報群＃５として抽出し、新しい電力情報＃４以降に取得されたｎ個の電力情報群を第２の電力情報群＃６として抽出する。
【００６７】
（電力情報＃１の取得間隔および電力情報群＃２の期間）
電力情報群＃２は、一定期間の電力情報からなることが好ましい。本実施形態においては、当該一定期間を１ヶ月として説明する。ポンプに代表される流体送出装置の瞬時電力は、経時変化することが知られている。電力情報群＃２が一定期間の電力情報からなることによって、電力情報群＃２に経時変化前の電力情報が含まれることを防止し、ポンプ４１の常態をより忠実に把握することができる。電力情報群＃２が経時変化前の電力情報を含む場合、度数分布＃３の幅は正常な度数分布＃３より広くなり、ポンプ４１の常態を反映しないものとなる。
【００６８】
上記一定期間を１ヶ月とし、電力情報を１分間隔で取得した場合、電力情報群＃２は４３２００個の電力情報からなる。電力情報の取得間隔は、ポンプ４１の運転パターンおよび負荷の変動に応じて適宜変更することができる。たとえば、発停を１０分以内に繰り返すような運転パターンで運転されるポンプであれば、電力情報の取得間隔を短くすることが好ましい。一方、長期間にわたって連続運転されるポンプであれば、電力情報の取得間隔を１０分または１時間というように、長く設定してもよい。
【００６９】
上記一定期間、電力情報の取得期間、および、電力情報群＃２が含む電力情報の数は、用いる流体送出装置の態様に応じて、適宜設定すればよい。
【００７０】
（電力情報群の度数分布）
図５〜８を参照しながら、度数分布作成部２１が作成する度数分布の例について説明する。図５は、ポンプ４１の状態が正常である場合における電力情報群＃２の度数分布＃３を示す図である。電力情報群＃２は、１０００個の電力情報からなり、平均および標準偏差は、それぞれＡｖｅ＝１００ｋＷ、σ＝１．０ｋＷである。たとえばポンプを、およそ負荷一定の条件で運転すると、ポンプが消費する瞬時電力は正規分布に近い形状となることが経験的に分かっている。したがって、ポンプ４１の電力情報群＃２から度数分布＃３を作成して、その形状が１つの正規分布に近いものであれば、ポンプ４１は正常であると考えて問題ない。
【００７１】
図６は、電力情報群＃２が外れ値を含んでいる場合における度数分布＃３を示す図である。外れ値とは、電力情報群＃２に含まれる電力情報であって、計測ミス、保存ミスなどに起因して所定の範囲（Ａｖｅ±３σ）に含まれない値を有するものである（図４（ａ）に示す「Ｎ」の電力情報に相当する）。外れ値は、偶発的に生じる所定の範囲外の電力情報であり、ポンプ４１の常態を反映するものではない。上記の通り外れ値は偶発的に生じるものであり、その発生する確率は極めて低い。図６に示す度数分布＃３においては、１０００個の電力情報のうち、外れ値は１０個である。したがって、外れ値が生じたとしても、その後に高い確率で外れ値が続くことはない。すなわち、外れ値に起因して、ステップＳ６においてＹＥＳと判定されることはない。
【００７２】
図７は、ポンプ４１に常態の変位が生じている場合の度数分布を示す図である。新しい電力情報＃４を含む２０個の電力情報に対して、Ａｖｅ±３σに含まれていない電力情報の割合が０．５以上であれば、ステップＳ８の判定結果はＹＥＳである。ステップＳ８の判定結果がＹＥＳである場合、抽出部２２は、新しい電力情報＃４より前に取得した第１の電力情報群＃５と、新しい電力情報＃４以降に取得した第２の電力情報群＃６とを、電力情報群＃２から抽出する（ステップＳ１０）。
【００７３】
度数分布作成部２１は、第１の電力情報群＃５から度数分布＃７を作成し、第２の電力情報群＃６から度数分布＃８を作成する。図７は、度数分布＃７および度数分布＃８を図示している。さらに、算出部２３は、第１の電力情報群＃５から平均Ａｖｅ１および標準偏差σ１を算出し、第２の電力情報群＃６から平均Ａｖｅ２および標準偏差σ２を算出する（ステップＳ１１）。判定部２４は、Ａｖｅ１≠Ａｖｅ２、かつ、σ１≧σ２であるか否かを判定する（ステップＳ１２）。ここで、Ａｖｅ１≠Ａｖｅ２であり、かつ、σ１≧σ２であるので、判定部２４は、ポンプ４１の常態が変位した（≒故障）と判定する（ステップＳ１４）。
【００７４】
なお、ステップＳ１４において、常態が変位したと判定部２４が判定した後も、取得部１２は、更に新たな電力情報を取得し続けてもよい。その場合、電力情報群＃２を構成する電力情報の数は一定であるため、第２の電力情報群＃６の個数は増加し、第１の電力情報群＃５の個数は減少する。図７は、４４０個の電力情報からなる度数分布＃７、および、５６０個の電力情報からなる度数分布＃８を示す。この時点において、Ａｖｅ１＝９９．７ｋＷ、σ１＝１．６ｋＷ、Ａｖｅ２＝９７．０ｋＷ、σ２＝０．８ｋＷである。すなわち、Ａｖｅ１≠Ａｖｅ２、かつ、σ１≧σ２であるので、判定部２４は、ポンプ４１の常態が変位した（≒故障）と判定する。
【００７５】
図８は、ポンプ４１が遷移状態にある場合の度数分布を示す図である。ステップＳ８の判定結果がＹＥＳである場合、抽出部２２は、新しい電力情報＃４より前に取得した第１の電力情報群＃５と、新しい電力情報＃４以降に取得した第２の電力情報群＃６とを、電力情報群＃２から抽出する（ステップＳ１０）。
【００７６】
度数分布作成部２１は、第１の電力情報群＃５から度数分布＃７を作成し、第２の電力情報群＃６から度数分布＃８を作成する。図８は、度数分布＃７および度数分布＃８を図示している。さらに、算出部２３は、第１の電力情報群＃５から平均Ａｖｅ１および標準偏差σ１を算出し、第２の電力情報群＃６から平均Ａｖｅ２および標準偏差σ２を算出する（ステップＳ１１）。判定部２４は、Ａｖｅ１≠Ａｖｅ２、かつ、σ１≧σ２であるか否かを判定する（ステップＳ１２）。ここで、Ａｖｅ１≠Ａｖｅ２であり、かつ、σ１≧σ２ではないので、判定部２４は、ポンプ４１の状態を遷移状態と判定する（ステップＳ１３）。
【００７７】
なお、ステップＳ１３において、遷移状態と判定部２４が判定した後も、取得部１２は、更に新たな電力情報を取得し続けてもよい。その場合、電力情報群＃２を構成する電力情報の数は一定であるため、第２の電力情報群＃６の個数は増加し、第１の電力情報群＃５の個数は減少する。図８は、７８０個の電力情報からなる度数分布＃７、および、２２０個の電力情報からなる度数分布＃８を示す。この時点において、Ａｖｅ１＝９９．６ｋＷ、σ１＝１．３ｋＷ、Ａｖｅ２＝９７．１ｋＷ、σ２＝２．６ｋＷである。すなわち、Ａｖｅ１≠Ａｖｅ２であるが、σ１＜σ２であるので、判定部２４は、ポンプ４１の状態を遷移状態と判定する。
【００７８】
（常態監視システム１の構成例）
常態監視システム１の構成例を、図９に示す。図９（ａ）は、ＤｖｉｃｅＮｅｔに準拠した機器を用いて常態監視システム１ａを構成する例を示す図である。ＤｖｉｃｅＮｅｔとは、シリアル通信を用いてフィールド機器を接続する接続方式であって、国際標準規格に対応しているものである。常態監視システム１ａは、電力量計、ＤｅｖｉｃｅＮｅｔ通信ユニット、ＰＬＣ(Programmable Logic Controller)およびＰＴ(Programmable Terminal)を備えている。常態監視システム１ａにおいて、ＤｅｖｉｃｅＮｅｔ通信ユニットは、各電力量計から電力情報を取得し、ＤｅｖｉｃｅＮｅｔに電力情報を送信する通信ユニットである。ＰＬＣは常態監視装置１０およびデータ収集ユニットに対応する。ＤｅｖｉｃｅＮｅｔ通信ユニットおよびＰＬＣは、ＤｅｖｉｃｅＮｅｔに準拠したネットワークにそれぞれ接続されており、ＤｅｖｉｃｅＮｅｔ通信ユニットには複数の電力量計が接続されている。ＰＴは表示部を備えており、ＰＬＣが出力する度数分布を含む画像データを表示する。
【００７９】
図９（ｂ）は、ＬＡＮ(Local Area Network)に接続されているセンサネットワークコントローラ（ＥＷ７００）およびパソコン（ＰＣ）を備えている。ＥＷ７００はデータ収集ユニットに対応し、ＥＷ７００には複数の電力量計が接続されている。ＰＣは、常態監視装置１０の各機能を実現するプログラムの命令を実行することによって、常態監視装置１０として機能する。常態監視装置１０の各機能は、既存のソフトウェアを組み合わせることによって実現されてもよい。たとえば、常態監視装置１０の各機能は、データ自動収集ソフトであるＥａｓｙＥＷ  ｌｏｇｇｅｒと、表計算ソフトのマクロとを組み合わせることによって実現可能である。
【００８０】
〔ソフトウェアによる実現例〕
最後に、常態監視装置１０の各ブロック、特に度数分布作成部２１、抽出部２２、算出部２３および判定部２４は、集積回路（ＩＣチップ）上に形成された論理回路によってハードウェア的に実現してもよいし、ＣＰＵ（Central Processing Unit）を用いてソフトウェア的に実現してもよい。
【００８１】
後者の場合、常態監視装置１０は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである常態監視装置１０の制御プログラムのプログラムコード（実行形式プログラム、中間コードプログラム、ソースプログラム）をコンピュータで読み取り可能に記録した記録媒体を、上記常態監視装置１０に供給し、そのコンピュータ（またはＣＰＵやＭＰＵ）が記録媒体に記録されているプログラムコードを読み出し実行することによっても、達成可能である。
【００８２】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【００８３】
また、常態監視装置１０を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００８４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００８５】
本発明は、製造工場などに配設されている流体送出装置における常態の変位を検出するために好適に利用可能である。
【符号の説明】
【００８６】
１０  常態監視装置
１１  制御部
１２  取得部
１３  記憶部
１４  出力部
１５  表示部
２１  度数分布作成部
２２  抽出部
２３  算出部
２４  判定部
【図１】
2014085815.tif 000003
【図２】
2014085815.tif 000004
【図３】
2014085815.tif 000005
【図４】
2014085815.tif 000006
【図５】
2014085815.tif 000007
【図６】
2014085815.tif 000008
【図７】
2014085815.tif 000009
【図８】
2014085815.tif 000010
【図９】
2014085815.tif 000011
【図１０】
2014085815.tif 000012